(57)【特許請求の範囲】
【請求項１】
蒸気タービンの回転を駆動源とする給水ポンプにより脱気器からボイラへ給水を供給する給水系統と、前記給水を再循環弁を介して脱気器へ再循環させる再循環系統とを有し、前記給水系統の給水流量検出信号が給水流量指令信号となるように蒸気加減弁開度指令信号により前記蒸気タービンへ供給する蒸気を制御すると共に、前記再循環弁を再循環弁開度指令信号により開閉して前記循環系統の再循環流量を制御する給水ポンプ制御装置において、前記給水ポンプの回転数検出信号に応じて予め設定された関数に基づいて吸込流量設定信号を出力する関数発生手段と、前記吸込流量設定信号と前記給水ポンプの吸込流量検出信号との偏差に応じて制御演算をして得られる第１の再循環弁開度指令信号を出力する制御手段と、発電プラントの発電量信号に応じて予め設定した関数に基づいて第２の再循環弁開度指令信号を出力する手段と、前記第１の再循環弁開度指令信号と前記第２の再循環弁開度指令信号とを入力して、いずれかの高値信号を前記再循環弁開度指令信号として前記再循環弁へ出力する高値選択手段とを具備する再循環弁開度制御部を設けることを特徴とする給水ポンプ制御装置。
【請求項２】
蒸気タービンの回転を駆動源とする給水ポンプにより脱気器からボイラへ給水を供給する給水系統と、前記給水を再循環弁を介して脱気器へ再循環させる再循環系統とを有し、前記給水系統の給水流量検出信号が給水流量指令信号となるように蒸気加減弁開度指令信号により前記蒸気タービンへ供給する蒸気を制御をすると共に、前記再循環弁を再循環弁開度指令信号により開閉して前記循環系統の再循環流量を制御する給水ポンプ制御装置において、前記給水ポンプの回転数によって予め定められる吸込流量設定信号と前記給水流量指令信号とを比較して両信号の偏差が所定値以下のとき検出信号を出力する検出手段と、前記給水流量指令信号を入力してそのまま変化率制限信号として出力する一方、前記検出信号が入力したときのみ前記給水流量指令信号の減少を制限する変化率制限信号を出力する変化率制限手段と、給水流量検出信号と前記変化率制限信号との偏差信号を制御演算して得られる制御信号を前記蒸気加減弁開度指令信号とする制御手段とを具備する給水流量制御部を設けることを特徴とする給水ポンプ制御装置。
【発明の詳細な説明】
【０００１】
【産業上の利用分野】
本発明は、発電プラントの給水ポンプ流量制御装置に関する。
【０００２】
【従来の技術】
発電プラントにおける給水ポンプは、発電量の増加に伴ってボイラの要求する給水流量をボイラへ供給するために、給水ポンプの回転数を増加させる構成となっている。一方、給水ポンプは、ポンプの加熱を防止するために最小吸込流量以上の吸込流量を流すことが必要である。この最小吸込流量は、給水ポンプの回転数に応じて変わる値である。
【０００３】
仮に、給水ポンプの吸込流量が最小吸込流量以下になった場合は、警報を出力したり、給水ポンプを強制停止させなければならない。そこで、ボイラへの給水流量が減少し、吸込流量が減少した場合には、再循環弁の開度を調節して脱気器へ戻す再循環流量を増加することにより、給水ポンプの吸込流量を最小吸込流量以上としている。
【０００４】
図６は、この種の給水ポンプの系統図である。
【０００５】
図において、給水ポンプ１は、図示省略する脱気器からボイラへの給水配管２に配置されており、給水ポンプ１の出口側には、脱気器へ再循環する再循環配管３が分岐している。再循環配管３には、再循環弁４が配置されている。また、給水配管２には、給水流量検出器５が設けられ、さらに、吸込流量検出器６が設けられている。給水ポンプ１は、蒸気タービン７と回転軸によって連結しており、蒸気タービン７には、蒸気加減弁９から蒸気が供給され、蒸気タービン７には、回転数検出器８が設置されている。
【０００６】
給水ポンプ制御装置２０は、給水配管２に設置されている給水流量検出器５により得られる給水流量信号ＱＦを入力し、図示しないボイラ制御装置から入力する給水流量指令信号ＱＣに基づき回転数指令信号を算出する。給水ポンプ１の回転数検出器８から回転数検出信号Ｎを入力し、回転数指令信号とに基づき蒸気加減弁開度指令信号Ｚを算出し蒸気加減弁９へ出力する。
【０００７】
また、給水ポンプ制御装置２０は、給水配管２に設置される吸込流量検出器６から吸込流量検出信号ＱＲを入力し、給水ポンプ１に設置された回転数検出器８により得られる回転数検出信号Ｎとに基づき再循環弁開度指令信号Ｖを算出して再循環弁４へ出力する。
【０００８】
このようにして、ボイラへの給水流量が減少し、給水流量が減少した場合には、再循環弁４の開度を調節して脱気器へ戻す再循環流量を増加することにより、給水ポンプの吸込流量を最小吸込流量以上としている。
【０００９】
給水ポンプ制御装置２０は、図７に示す如く、給水流量制御部２１と再循環弁開度制御部２２とからなり、給水流量検出器５により得られる給水流量信号ＱＦと給水流量指令信号ＱＣとを偏差演算手段２３へ入力し、得られる演算出力を比例積分演算手段２４へ入力し、回転数指令信号ＮＳを出力する。
【００１０】
また、回転数検出器８により得られる回転数検出信号Ｎが偏差演算手段２５に入力され、その出力が比例演算手段２６に入力される。蒸気加減弁開度指令信号Ｚを蒸気加減弁９へ出力する。
【００１１】
一方、給水ポンプ制御装置２０の再循環弁開度制御部２２は、図７に示す如く、吸込流量設定関数発生手段２７と偏差演算手段２８と比例演算手段２９と変化率制限手段３０とから構成されている。
【００１２】
吸込流量設定関数発生手段２７は、回転数検出信号Ｎに応じて予め設定された関数によって吸込流量設定信号ＱＴを出力する。この吸込流量設定信号ＱＴと吸込流量検出信号ＱＲは、偏差演算手段２８により偏差が演算され、比例演算手段２９に入力される。比例演算手段２９では、偏差に応じて比例演算され、変化率制限手段３０に入力される。この変化率制限手段３０は、再循環弁４を閉方向とする入力信号のとき入力信号に制限した出力信号とする一方、入力信号が開方向のとき制限をかけない出力信号とする。
【００１３】
ここで、図７の示す吸込流量設定関数発生手段２７に設定される吸込流量設定信号ＱＴと回転数検出信号Ｎとの関係について図８を参照して説明する。
【００１４】
まず、吸込流量設定信号ＱＴは、予め回転数検出信号Ｎに応じて設定され、回転数検出信号ＮがＮ１〜Ｎ２の範囲において回転数検出信号Ｎに応じて増加するようになっている。また、回転数検出信号ＮがＮ２以上のとき一定値を保持し、回転数検出信号ＮがＮ１以下でも一定値を保持するようになっている。この図８における最小吸込流量設定信号ＱＳ（図示鎖線）は、再循環弁４を全開とする吸込流量設定値を示し、また、吸込流量設定信号ＱＴは、最小吸込流量設定信号ＱＳよりαだけ上側に設定されている。
【００１５】
次に、図７に示す比例演算手段２９では、吸込流量検出信号ＱＲの変化αに対して、再循環弁開度指令信号Ｖを全閉−全開に変化させるようにしている。すなわち、吸込流量検出信号ＱＲが最小吸込流量設定信号ＱＳと一致するとき、比例演算手段２９の出力が１００％｛＝Ｋ×（ＱＴ−ＱＳ）｝により再循環弁開度指令信号Ｖを全開とする。また、吸込流量検出信号ＱＲが吸込流量設定信号ＱＴと一致したとき、比例演算手段２９の出力が、０％｛＝Ｋ×（ＱＴ−ＱＴ）｝により再循環弁開度指令信号Ｖを全閉とする。
【００１６】
ここで、発電プラントの高負荷時および低負荷時の吸込流量検出信号ＱＲ（二点鎖線）とボイラへの給水流量信号ＱＦ（一点鎖線）とを図８を参照して説明すると、発電プラントが高負荷にあるとき、給水ポンプ１の回転数検出信号ＮはＮ２にある。このとき、吸込流量検出信号ＱＲは吸込流量設定信号ＱＴより大きく、再循環弁開度指令信号Ｖは全閉となり、吸込流量検出信号ＱＲと給水流量信号ＱＦとは一致する。
【００１７】
この状態から、発電プラントの負荷を徐々に下げると、給水流量信号ＱＦが減少し、回転数検出信号Ｎも降下すると共に、吸込流量検出信号ＱＲも減少する。
【００１８】
発電プラントが低負荷にあるとき、図８に示すように給水流量信号ＱＦが吸込流量設定信号ＱＴより下回る。このような場合、吸込流量検出信号ＱＲが最小吸込流量設定信号ＱＳより下回らないようにする必要がある。そこで、回転数検出信号ＮがＮ１になると、給水ポンプ１が供給する給水が全て再循環弁４へ流すようにして吸込流量検出信号ＱＲを確保する。
【００１９】
変化率制限手段３０は、再循環弁４の開方向の信号に対して再循環弁４を変化速度に制限なく開き、給水ポンプ１の加熱を防止する。また、変化率制限手段３０は閉方向の動作に対して再循環弁４を低速で閉じて、ボイラの給水流量制御への外乱を小さくする。
【００２０】
【発明が解決しようとする課題】
しかしながら、上記した図７に示した従来の給水ポンプ制御装置２０では、次のような問題がある。
【００２１】
まず、一例として、図９を参照して発電プラントの低負荷時にボイラへ供給する給水量を徐々に減少させていく場合の問題点を説明する。ここで、図中の上段は、吸込流量検出信号ＱＲとボイラへの給水流量信号ＱＦと吸込流量設定信号ＱＴの関係を示し、図中の下段は再循環弁開度指令信号Ｖの変化を示している。
【００２２】
図において、発電プラントの発電量が時刻ｔ１から低下すると、給水ポンプ制御装置２０は、給水流量指令信号ＱＣの減少に伴って、図７の給水流量制御部２１からの蒸気加減弁開度指令信号Ｚが減少され、給水ポンプ１の回転数の減少によりボイラへの給水流量信号ＱＦが徐々に減少される。このとき、吸込流量設定信号ＱＴと吸込流量検出信号ＱＲとの偏差はα以上ある。従って、給水ポンプ制御装置２０は、再循環弁開度指令信号Ｖを全閉とする出力をする。このため再循環弁４へ給水が流れず、吸込流量検出信号ＱＲは給水流量信号ＱＦと同じ値となって徐々に減少する。
【００２３】
その後、時刻ｔ２になると、給水流量信号ＱＦが急減され、さらに、時刻ｔ３に吸込流量検出信号ＱＲが吸込流量設定信号ＱＴ以下になる。この状態では、図７に示す給水ポンプ制御装置２０の再循環弁開度制御部２２が再循環弁開度指令信号Ｖを全閉から急開させる。これによって、再循環弁４に流れる流量が増加し、吸込流量検出信号ＱＲが増加するが、ボイラへの給水流量信号ＱＦがさらに急減する。
【００２４】
すなわち、給水ポンプ１の加熱防止のために再循環弁開度指令信号Ｖが高速に増加させ、しかも、ボイラ系統より再循環系統の方が給水流量の吸込力が大きいために再循環系統へ流量が増加し、これに対応してボイラへの給水流量信号ＱＦは、時刻ｔ３から時刻ｔ４にわたって必要以上に急減する。
【００２５】
一方、図７に示す給水ポンプ制御装置２０の給水流量制御部２１では、給水ポンプ１の給水流量信号ＱＦの急減に伴って、必要流量が送れるように制御する。
これにより、給水流量信号ＱＦは、時刻ｔ４から時刻ｔ５に増加する。その後、吸込流量検出信号ＱＲは、吸込流量設定信号ＱＴより大きく増加した後に降下して、時刻ｔ６に吸込流量検出信号ＱＲが吸込流量設定信号ＱＴとほぼ一致し、吸込流量検出信号ＱＲは吸込流量設定信号ＱＴより減少する。
【００２６】
このため、時刻ｔ７になると、再循環弁開度指令信号Ｖが増加方向となる。これに伴って、再び吸込流量検出信号ＱＲが増加するが、時刻ｔ３から時刻ｔ４と同様に給水流量信号ＱＦが再び急減する。これにより、前述したように給水ポンプ制御装置２０の給水流量制御部２１によって時刻ｔ８に再び給水流量信号ＱＦが増加して復帰する。このような給水流量信号ＱＦの急減と復帰との変動の繰り返しがされ、給水流量の制御が不安定となり、ボイラへ外乱を与えるという問題がある。
【００２７】
そこで、本発明は給水流量を安定に制御してボイラへ外乱を与えることを回避する給水ポンプ制御装置を提供することを目的とする。
【００２８】
【課題を解決するための手段】
請求項１の発明は、蒸気タービンの回転を駆動源とする給水ポンプにより脱気器からボイラへ給水を供給する給水系統と、給水を再循環弁を介して脱気器へ再循環させる再循環系統とを有し、給水系統の給水流量検出信号が給水流量指令信号となるように蒸気加減弁開度指令信号により蒸気タービンへ供給する蒸気を制御すると共に、再循環弁を再循環弁開度指令信号により開閉して循環系統の再循環流量を制御する給水ポンプ制御装置において、給水ポンプの回転数検出信号に応じて予め設定された関数に基づいて吸込流量設定信号を出力する関数発生手段と、吸込流量設定信号と給水ポンプの吸込流量検出信号との偏差に応じて制御演算をして得られる第１の再循環弁開度指令信号を出力する制御手段と、発電プラントの発電量信号に応じて予め設定した関数に基づいて第２の再循環弁開度指令信号を出力する手段と、第１の再循環弁開度指令信号と第２の再循環弁開度指令信号とを入力して、いずれかの高値信号を再循環弁開度指令信号として再循環弁へ出力する高値選択手段とを具備する再循環弁開度制御部を設けるようにしたものである。
【００２９】
請求項２の発明は、蒸気タービンの回転を駆動源とする給水ポンプにより脱気器からボイラへ給水を供給する給水系統と、給水を再循環弁を介して脱気器へ再循環させる再循環系統とを有し、給水系統の給水流量検出信号が給水流量指令信号となるように蒸気加減弁開度指令信号により蒸気タービンへ供給する蒸気を制御をすると共に、再循環弁を再循環弁開度指令信号により開閉して循環系統の再循環流量を制御する給水ポンプ制御装置において、給水ポンプの回転数によって予め定められる吸込流量設定信号と給水流量指令信号とを比較して両信号の偏差が所定値以下のとき検出信号を出力する検出手段と、給水流量指令信号を入力してそのまま変化率制限信号として出力する一方、検出信号が入力したときのみ給水流量指令信号の減少を制限する変化率制限信号を出力する変化率制限手段と、給水流量検出信号と変化率制限信号との偏差信号を制御演算して得られる制御信号を蒸気加減弁開度指令信号とする制御手段とを具備する給水流量制御部を設けるようにしたものである。
【００３０】
【作用】
請求項１の給水ポンプ制御装置によれば、給水ポンプの回転数検出信号により設定される吸込流量設定信号と吸込流量検出信号との偏差に応じて制御演算された第１の再循環弁開度指令信号と低負荷のとき第１の再循環弁開度指令信号より高値となるように発電量検出信号に応じて設定される第２の再循環弁開度指令信号とが高値選択手段へ入力される。そして、低負荷でないとき、第１の再循環弁開度指令信号が選択され再循環弁を開閉し、低負荷のとき第２の再循環弁開度指令信号が選択され再循環弁を開閉させる。さらに、低負荷のとき、発電量信号に応じた急変のない穏やかに徐々に変化する第２の再循環弁開度指令信号によって最小吸込流量を確保するように再循環弁の開度を変化させる。これにより、従来のように低負荷のとき必要以上に再循環弁を急開や急閉させて、給水流量の急減と復帰の繰り返しを回避し、安定した給水流量制御をすることができ、ボイラへの外乱を与えることを防止できる。
【００３１】
請求項２の給水ポンプ制御装置によれば、給水流量指令信号と吸込流量設定信号との偏差が所定値以下となると、検出手段により検出信号が変化率制限手段へ出力される。変化率制限手段では、検出信号が入力されているときのみ給水流量指令信号の減少が所定値に抑制される。これにより、給水流量指令信号の急減がなくなるから、給水流量が急減なく穏やかに推移する。従って、再循環弁が必要に応じて穏やかにゆっくり開き、従来のように、給水流量の急減と復帰の繰り返しがなく、安定した給水流量制御ができ、ボイラへ外乱を与えることを回避することができる。
【００３２】
【実施例】
以下、本発明の実施例について図面を参照して説明する。
【００３３】
図１は、本発明の第１実施例を示す給水ポンプ制御装置の構成図である。図中、図１が従来例を示す図７と同一符号は同一部分または相当部分を示し、図１が図７と異なる主な点は、再循環弁開度制御部２２の構成を異にし、再循環弁開度制御部２２Ａとし、再循環弁開度制御部２２Ａは、図７の再循環弁開度制御部２２に再循環弁開度指令関数発生手段３１と高値選択手段３２とを追設して、低負荷時の給水流量制御を安定させるようにしたことである。
【００３４】
ここで、再循環弁開度制御部２２Ａに設ける再循環弁開度指令関数発生手段３１は、図２の上段に示されるような関数が設定されており、発電プラントの低負荷時、再循環弁４を所定開度に開けさせる値を設定している。高値選択手段３２は、変化率制限手段３０の出力信号と再循環弁開度指令関数発生手段３１の出力信号を入力し、いずれか高値の入力を選択して再循環弁開度指令信号Ｖを出力するようにしている。
【００３５】
次に、本発明の第１実施例の作用を図３を参照して説明する。
【００３６】
この一例は、発電プラントの低負荷時においてボイラへ供給する給水流量を徐々に減少させていく場合の作用を説明し、図３において、下段の再循環弁開度指令信号Ｖの内で、ＶＡは図１に示す変化率制限手段３０の出力であり、ＶＢは図１に示す再循環弁開度指令関数発生手段３１の出力とする。
【００３７】
ここで、発電プラントが通常の運転をしている時刻ｔ１まで、図２の上段に示す発電量信号Ｌ１に対する関数設定から再循環弁開度指令関数発生手段３１の出力ＶＢはほぼ零である。これに対して、変化率制限手段３０の出力ＶＡもほぼ零であり、高値選択手段３２の出力が全閉の信号を出力している。
【００３８】
すなわち、図２の上段は、再循環弁開度指令関数発生手段３１に設定される関数の一実施例を示す特性図であり、図２の下段は、従来技術による発電量信号Ｌと給水流量信号ＱＦ，吸込流量検出信号ＱＲの関係を示す一例である。このように発電量信号Ｌと給水流量信号ＱＦとは比例関係にあり（発電量信号Ｌ１以上のとき）、給水流量信号ＱＦが減少すると、吸込流量検出信号ＱＲが給水ポンプ１の最小吸込流量設定信号以下にならないように再循環弁４が開かれるようになっている。そこで、再循環弁開度指令関数発生手段３１の設定関数は、再循環弁４が開き始める発電量信号Ｌ１から、発電量信号Ｌの減少に伴って、再循環弁４を開いて吸込流量検出信号ＱＲが確保されるように関数を設定する。
【００３９】
次に、図３において時刻ｔ１に、発電プラントが低負荷への移行を始めると、給水流量指令信号ＱＣが減少し、給水流量信号ＱＦが減少され、これに応じて吸込流量検出信号ＱＲが徐々に減少される。このとき、再循環弁開度指令関数発生手段３１の出力ＶＢは、発電量信号Ｌの減少により全閉から開方向に徐々に増加する。これにより、高値選択手段３２が再循環弁開度指令関数発生手段３１の出力信号ＶＢを選択して再循環弁開度指令信号Ｖとする。このとき、発電量信号Ｌの減少速度が遅く徐々に減少し、再循環弁開度指令信号Ｖの増加速度も遅く、給水流量信号ＱＦの外乱にならないように推移する。
【００４０】
ここで、時刻ｔ２に給水流量信号ＱＦが急減されるが、再循環弁４が開いている。従って、吸込流量検出信号ＱＲが吸込流量設定信号ＱＴ以下になることはなく、高値選択手段３２では、そのまま出力ＶＢが選択され、再循環弁開度指令信号Ｖが急増することなく推移する。このように、発電量信号Ｌの減少に対して再循環弁開度指令信号Ｖの増加を適宜定めると、給水流量信号ＱＦの急減があっても、吸込流量検出信号ＱＲが吸込流量設定信号ＱＴ以下となることがなく、再循環弁４の急閉に伴う給水流量信号ＱＦの急増が生じることが防止される。
【００４１】
また、吸込流量検出信号ＱＲが吸込流量設定信号ＱＴから大きく離れることがなく、再循環弁開度指令信号ＶＡが急上昇することがないから、再循環弁４が急開することによる給水流量の急減する状態が生じることが防止される。
【００４２】
その後、図３のように、低負荷となり、時刻ｔ３に、給水流量信号ＱＦが急減され、吸込流量検出信号ＱＲが吸込流量設定信号ＱＴ以下となった場合について説明する。
【００４３】
この場合、変化率制限手段３０の出力ＶＡが急増指令を出力し、時刻ｔ４に変化率制限手段３０の出力ＶＡが再循環弁開度指令関数発生手段３１の出力ＶＢより大きくなり、高値選択手段３２が変化率制限手段３０の出力ＶＡを選択して再循環弁開度指令信号Ｖを出力する。これによって、吸込流量検出信号ＱＲが上昇し、ピークに達した後に徐々に降下する。吸込流量検出信号ＱＲが降下すると、これに応じて変化率制限手段３０の出力ＶＡも減少して時刻ｔ５に、再循環弁開度指令関数発生手段３１の出力ＶＢの方が高値となる。このため、高値選択手段３２では、再循環弁開度指令関数発生手段３１の出力ＶＢが選択され再循環弁開度指令信号Ｖとして再循環弁４へ出力する。
【００４４】
この結果、給水流量制御部２１の制御により給水流量信号ＱＦが急減され、図３の時刻ｔ３以降のように吸込流量検出信号ＱＲが吸込流量設定信号ＱＴ以下に割り込んだ場合でも、吸込流量検出信号ＱＲの減少に相当する再循環弁開度指令信号ＶＡが急増し、高値選択手段３２で再循環弁開度指令信号ＶＡが選択されて再循環弁開度指令信号Ｖとして、吸込流量検出信号ＱＲが最小吸込流量設定信号ＱＳ以下となることを防止する。
【００４５】
このように、給水ポンプの吸込流量急減による過熱防止を図ると共に、発電プラントの低負荷時に再循環弁が急開や急閉することによるボイラへ供給する給水流量の急減や急増の繰り返しを防止し、給水流量を安定して制御することができ、ボイラへ外乱を与えることを防止することができる。
【００４６】
なお、第１実施例では、再循環弁開度指令関数発生手段３１による再循環弁開度指令信号ＶＢを発生させる信号に発電量信号Ｌを用いたが、発電プラントの運転において再循環弁４の開度と相関関係がある信号として、発電量指令信号またはボイラの出力要求指令信号を用いてもよい。
【００４７】
図４は、本発明の第２実施例を示す給水ポンプ制御装置の構成図である。
【００４８】
図４が従来例を示す図７と同一符号は、同一部分または相当部分を示し、図４が図７と異なる主な点は、給水流量制御部２１の構成を異にし、給水流量制御部２１Ｂとし、給水流量制御部２１Ｂは、検出手段３３と変化率制限手段３４とを追設し、再循環弁４の急開を防止して給水流量を安定に制御するようにしている。
【００４９】
ここで、検出手段３３は、給水流量指令信号ＱＣと吸込流量設定信号ＱＴとを比較して、その偏差が所定値以下のとき検出信号を出力する。変化率制限手段３４は、検出信号の入力があるときのみ、給水流量指令信号ＱＣの減少方向の信号を所定の変化率で制限して出力する。
【００５０】
次に、発電プラントの低負荷時にボイラへ供給する給水流量を徐々に減少させる場合の作用を図５を参照して説明する。なお、図５に示す、ＱＤは変化率制限手段３４の出力とする。
【００５１】
ここで、給水流量指令信号ＱＣが吸込流量設定信号ＱＴより大きい時刻ｔ１までは、検出手段３３から検出信号が変化率制限手段３４へ出力されていない。このため変化率制限手段３４によって給水流量指令信号ＱＣの変化率を制限する動作が行われない。従って、給水流量指令信号ＱＣと変化率制限手段３４の出力ＱＤは常にほぼ同じ値となっている。
【００５２】
その後の時刻ｔ１以降に、検出手段３３が給水流量指令信号ＱＣが吸込流量設定信号ＱＴに近づいたことを検出すると、検出信号が変化率制限手段３４へ入力される。これに伴い、変化率制限手段３４の出力ＱＤの減少方向への変化に制限をかける動作を始める。これに応じて、給水流量信号ＱＦの減少に制限がかかり、吸込流量検出信号ＱＲの急減がなくなり、横ばいとなる。さらに、時刻ｔ２に吸込流量検出信号ＱＲが吸込流量設定信号ＱＴを下回ると、再循環弁４が開き始めるが、給水流量信号ＱＦが穏やかに減少し、吸込流量検出信号ＱＲも穏やかに減少する。従って、変化率制限手段３０からの再循環弁開度指令信号Ｖも時刻ｔ２から徐々に上昇し、再循環弁４の急開が防止される。
【００５３】
このように、給水流量指令信号ＱＣの減少を制限することによって、再循環弁４の急開や急閉を防止しボイラへ供給する給水流量の急減急増を防止し、給水流量を安定に制御することができ、ボイラへ外乱を与えることを防止することができる。
【００５４】
また、給水ポンプ１の吸込流量設定信号ＱＴに基づいて制限を行っているため、発電プラントの任意の負荷帯および給水ポンプの任意の運転点において、再循環弁４の急開を防止できる。
【００５５】
なお、給水流量指令信号ＱＣの増加方向は、給水ポンプ１の過熱にならないので、制限をかけない。
【００５６】
【発明の効果】
以上説明したように請求項１の給水ポンプ制御装置によれば、低負荷のとき発電量信号に応じた急変のない穏やかに徐々に変化する第２の再循環弁開度指令信号によって最小吸込流量を確保するように再循環弁の開度を変化させるようにしたために従来のように低負荷のとき必要以上に再循環弁を急開や急閉させて、給水流量の急減と復帰の繰り返すという状態を回避し、安定した給水流量制御ができ、ボイラ−へ外乱を与えることを防止することができる。
【００５７】
請求項２の給水ポンプ制御装置によれば、給水流量指令信号と吸込流量設定信号との偏差が所定値以下となると、給水流量指令信号の減少を抑制して給水流量が急減なく穏やかに推移する。従って、再循環弁が必要に応じて穏やかにゆっくり開き、従来のように、給水流量の急減と復帰の繰り返しがなく、安定した給水流量制御ができ、ボイラ−へ外乱を与えることを防止することができる。
【図面の簡単な説明】
【図１】本発明の第１実施例を示す給水ポンプ制御装置の構成図である。
【図２】図１の給水ポンプ制御装置に備える再循環弁開度指令関数発生手段の特性を示す説明図である。
【図３】図１の給水ポンプ制御装置の作用を示す説明図である。
【図４】本発明の第２実施例を示す給水ポンプ制御装置の構成図である。
【図５】図４の給水ポンプ制御装置の作用を示す説明図である。
【図６】給水ポンプの系統図である。
【図７】従来例を示す給水ポンプ制御装置の図１または図４に対応する構成図である。
【図８】図７の給水ポンプ制御装置に備える吸込流量設定関数発生手段の特性を示す説明図である。
【図９】図７の給水ポンプ制御装置の作用を示す図３または図５に対応する説明図である。
【符号の説明】
２０    給水ポンプ制御装置
２１    給水流量制御部
２２    再循環弁開度制御部
２３    偏差演算手段
２４    比例積分演算手段
２５    偏差演算手段
２６    比例演算手段
２７    吸込流量設定関数発生手段
２８    偏差演算手段
２９    比例演算手段
３０    変化率制限手段
３１    再循環弁開度指令関数発生手段
３２    高値選択手段
３３    検出手段
３４    変化率制限手段
【図１】
0003697285.tif 000002
【図２】
0003697285.tif 000003
【図３】
0003697285.tif 000004
【図４】
0003697285.tif 000005
【図５】
0003697285.tif 000006
【図６】
0003697285.tif 000007
【図７】
0003697285.tif 000008
【図８】
0003697285.tif 000009
【図９】
0003697285.tif 000010